(57)【要約】【課題】ベンド管内の摩耗部の確認及び交換等のメンテナンス作業を極めて簡単に行えるようにする．【解決手段】流体コンベアの搬送ラインが曲がる部位に用いられる流体コンベア用ベンド管（１）を、外周側が開口された断面Ｕ字溝状の管本体（２）と、その開口部（２ａ）を塞ぐ湾曲部外周壁（３）とで形成し、その管路（６）内を搬送される被搬送物が衝突する湾曲部外周壁（３）を交換できるようにした。【選択図】図１
2004301198.tif 000002
【特許請求の範囲】
【請求項１】
流体コンベアの搬送ラインが曲がる部位に用いられる流体コンベア用ベンド管であって、流入口から流出口に向かう管路の湾曲部外周壁のうち、少なくともコンベア内を流れる搬送流体により搬送される被搬送物が衝突する部分が交換可能に形成されたことを特徴とする流体コンベア用ベンド管。
【請求項２】
前記管路が、外周側を開口した断面Ｕ字溝状の管本体と、その開口部を塞ぐ外周壁を備え、該外周壁が前記管本体に対して交換可能に設けられた請求項１記載の流体コンベア用ベンド管。
【請求項３】
前記管路の流出口に、その断面形状をこれに接続される配管の円形開口に整合するように変化させるアダプタが装着されてなる請求項２記載の流体コンベア用ベンド管。
【発明の詳細な説明】
【０００１】
【発明の属する技術分野】
本発明は、流体コンベアの搬送ラインが曲がる部位に用いられる流体コンベア用ベンド管に関する。
【０００２】
【従来の技術】
石炭、鉱石、穀物、木材チップ、プラスチックチップ、金属切削屑などの粉粒状の被搬送物を空気又は水等の搬送液体と混合して管輸送する流体コンベアにおいて、その搬送ラインが曲がる部位にはベンド管が用いられている。
【０００３】このような流体コンベアにおいて、ベンド管内を流れる搬送流体はその管路に沿ってスムーズに流れるが、搬送流体に運ばれる粉粒体は、ベンド管の一端側から流入されると、管路に沿って曲がろうとする搬送流体の影響を受けるものの、自らの慣性力によりその運動方向を維持しようとするため、ベンド管の湾曲外周部をなす流路壁面の内側に衝突しながら、搬送流体の流れに乗って搬送ラインが曲げられ、他端側から流出される。
【０００４】
【発明が解決しようとする課題】
しかしながら、搬送される粉粒体が、比較的硬い鉱物・金属系のものであると、ベンド管内部が粉粒体の衝突によって摩耗し、流路抵抗が増えて、搬送流体の供給系に負荷がかかるという問題が生じる。
【０００５】したがって、ベンド管内部が摩耗したときに、これを交換するようにしているが、摩耗したか否かを確認するためにベンド管の両端を流体コンベアの配管系から外す必要を生じるだけでなく、これを外して確認した後、流体コンベアの管路を復旧するまでに時間を要するため確認作業が面倒であるという問題がある。
また、比較的短いベンド管であれば、一方の開口部から他方の開口部を透かすように見ることにより、内部が摩耗したか否かを確認することもできるが、流体コンベアに使用するベンド管は曲率半径が小さいと摩耗が早いため摩耗しにくいように管径に比して曲率半径が十分大きく設計されていることが多いので、ベンド管を流体コンベアの配管系から外しても、その内部を見ることが困難であり、摩耗状況を簡単には確認できない。
このため、作業効率を優先すれば、予め設定された期間使用したときに、内部が摩耗していてもしていなくてもベンド管を交換せざるを得ず、メンテナンスコストが嵩むという問題があった。
【０００６】そこで本発明は、摩耗部の確認作業や交換作業を極めて簡単に行うと同時に、メンテナンスコストを低減することを技術的課題としている。
【０００７】
【課題を解決するための手段】
この課題を解決するために、本発明は、流体コンベアの搬送ラインが曲がる部位に用いられる流体コンベア用ベンド管であって、流入口から流出口に向かう管路の湾曲部外周壁のうち、少なくともコンベア内を流れる搬送流体により搬送される被搬送物が衝突する部分が交換可能に形成されたことを特徴とする。
【０００８】本発明によれば、例えば、ベンド管を介装した配管系から成る流体コンベアで被搬送物を搬送させると、被搬送物はベンド管を通過する際に自らの慣性力により運動方向を維持しようとするため、ベンド管の湾曲部外周壁の内面側に衝突しながら管路に沿って搬送される。
【０００９】したがって、ベンド管の湾曲部外周壁の内面が摩耗されるが、湾曲部外周壁のうち被搬送物が衝突する部分が交換可能に形成されているので、ベンド管を外すことなく湾曲外周壁のみを外して摩耗状況を簡単に確認することができる。
そして、摩耗していた場合には、湾曲部外周壁のみを交換すれば足り、ベンド管を流体コンベアの管路から外す面倒もない。また、被送物の材質・種類によって、この湾曲部外周壁の材質をかえることによりコスト低減も可能になる。
【００１０】
【発明の実施の形態】
以下、本発明の実施の形態を図面に基づいて具体的に説明する。
図１は本発明に係る流体コンベア用ベンド管を示す説明図、図２は他の実施形態を示す説明図である。
【００１１】図１に示すベンド管１は、流体コンベアの搬送ラインが曲がる部位に用いられるものであって、外周側を開口した断面Ｕ字溝状の管本体２と、その開口部２ａに交換可能に取り付けられる湾曲部外周壁３を備え、該外周壁３がパッキン３ａを介して前記管本体２に対して交換可能に設けられている。
【００１２】これにより、ベンド管１の流入口４となる一端側から流出口５となる他端側に向かう管路６内を搬送される被搬送物が衝突する湾曲部外周壁３が、交換可能に形成されている。
【００１３】そして、流出口５には、その断面形状をこれに接続される配管７の円形開口に整合するように変化させるアダプタ８が装着されている。
これにより、流路断面が狭くなる管路６の流出口５でも、搬送流体が滞ったり、被搬送物が引っ掛かったりすることなくスムーズに流れる。
【００１４】なお、管本体２、外周壁３及びアダプタ８は、例えば、鉄、ステンレス、高マンガン鋼、抗張力鋼、高クロム鋳鉄など任意の物を使用し得る。
【００１５】以上が本発明の一構成例であって次にその作用を説明する。
ベンド管１を介装した配管系から成る流体コンベアで、例えば、金属を切削加工したときの切粉（切削屑）を被搬送物とし、これを空気流で搬送する場合、切粉はベンド管１を通過する際に自らの慣性力により運動方向を維持しようとするため、管路６に沿って搬送ラインを曲げる際に必ず湾曲部外周壁３の内面側に衝突することとなり、その搬送量に比例して外周壁３が摩耗されていく。
【００１６】そして、ベンド管１を点検するときは、その管本体２から湾曲部外周壁３のみを外して、その内側を目視することにより簡単に摩耗状況を確認することができる。湾曲部外周壁３は、管状体ではなく板状体であるから、摩耗箇所が見えにくいこともない。
ここで、湾曲部外周壁３がそれほど摩耗していない場合は再びその外周壁３を管本体２の開口部２ａに取り付け、摩耗が進んで交換する必要がある場合は、使用済みの外周壁３及びパッキン３ａを廃棄して、新たな湾曲部外周壁３及びパッキン３ａに交換すれば良い。
【００１７】このように、メンテナンスを行う際に、湾曲外周壁３のみを外せば摩耗状況の確認を簡単に行うことができ、ベンド管１の管本体２を流体コンベアの配管系から外す面倒がないので、作業を極めて簡単に行うことができ、メンテナンス費用も軽減できる。
【００１８】なお、上述の説明では、湾曲部外周壁３の全面を交換可能にした場合について説明したが、本発明はこれに限らず、図２に示すように、流入口４を真っ直ぐに延長させて形成される仮想管１０により囲まれる部分に位置する湾曲部外周壁３の入口側３ｂのみを交換可能にしたり、コンベア内を流れる搬送流体により搬送される被搬送物が衝突する部分を予め実験で求め、その部分のみを交換可能にしても良い。
【００１９】
【発明の効果】
以上述べたように、本発明によれば、湾曲部外周壁のうち被搬送物が衝突する部分が交換可能に形成されており、流体コンベアの配管系からベンド管を外すことなく湾曲外周壁のみを外して摩耗状況を簡単に確認することができると同時に、摩耗していた場合にのみ、湾曲部外周壁のみを交換すれば足りるので、ベンド管全体を流体コンベアの管路から外して交換する面倒がなく、メンテナンス作業を軽減することができ、ひいては、メンテナンスコストを低減することができるという大変優れた効果を奏する。
【図面の簡単な説明】
【図１】本発明に係る流体コンベア用ベンド管を示す説明図。
【図２】他の実施形態を示す説明図。
【符号の説明】
１………ベンド管
２………管本体
２ａ……開口部
３………湾曲部外周壁
４………流入口
５………流出口
６………管路
７………配管
８………アダプタ
【図１】
2004301198.tif 000003
【図２】
2004301198.tif 000004